(57)【要約】【課題】隆起部を乗り越える際の隆起部への負担を抑えることができ、ロックナットを締めた後はコネクタ同士が離脱しにくい医療用コネクタを実現できるようにする。【解決手段】医療用コネクタは、プラグ１０１と、ロックナット１０２とを備えている。ロックナット１０２は、可撓片１２１と、可撓片１２１が弾性変形することを許容する空間１２４とを有する。可撓片１２１は、内方向に突出した突起１２２を有している。可撓片１２１は、突起１２２が、プラグ１０１に設けられた凸部１１２を含むプラグ側係合部１１４と当接することにより、ロックナット１０２の内壁側に変形し、可撓片１２１と、凸部１１２との少なくとも一方は環状に設けられている。【選択図】図１
2017148477.tif 000002
【特許請求の範囲】
【請求項１】
基端側から先端側に延びるプラグと、
前記プラグの周りに回転可能で且つ軸方向に移動可能に取り付けられたロックナットとを備え、
前記ロックナットは、その内面に突出した可撓片と、前記可撓片と前記ロックナットの内壁との間に設けられ、前記可撓片が弾性変形することを許容する空間とを有し、
前記可撓片は、内方向に突出した突起を有し、
前記プラグは、その基部の外周面に設けられた凸部を含むプラグ側係合部を有し、
前記可撓片は、前記突起が前記凸部に当接することにより、前記ロックナットの内壁側に変形し、
前記ロックナットに設けられた前記可撓片と、前記凸部との少なくとも一方は、環状に設けられている、医療用コネクタ。
【請求項２】
前記プラグ側係合部は、第１凸部と、前記第１凸部よりも基端側に設けられた第２凸部と、前記第１凸部と前記第２凸部との間に設けられた凹部とを含み、
前記第２凸部の前記凹部の底面からの高さは、前記第１凸部の前記凹部の底面からの高さよりも低く、
前記可撓片は、前記突起が基端側から先端側に向かって前記第２凸部を乗り越える際に、前記ロックナットの内壁側に変形し、前記突起が前記第２凸部を乗り越えた際に、前記ロックナットの内壁と反対側に変形する、請求項１に記載の医療用コネクタ。
【請求項３】
前記第２凸部は、基端側が前記プラグの先端方向に向かって隆起する斜面となっている、請求項２に記載の医療用コネクタ。
【請求項４】
前記第２凸部は、先端側及び基端側が斜面となっており、先端側の斜面の傾斜角度は、基端側の斜面の傾斜角度よりも大きい、請求項２に記載の医療用コネクタ。
【請求項５】
前記突起の基端側の斜面の傾斜角度と、前記第２凸部の先端側の斜面の傾斜角度とは略一致している、請求項４に記載の医療用コネクタ。
【請求項６】
前記突起が前記第１凸部と前記第２凸部との間に位置する際に、前記突起は、前記凹部の底面と当接していない箇所を有する、請求項２〜５のいずれか１項に記載の医療用コネクタ。
【請求項７】
前記突起が前記第１凸部と前記第２凸部との間に位置する際に、前記第２凸部は前記可撓片と当接し、前記第１凸部と前記第２凸部の間で前記突起が挟持される、請求項２〜６のいずれか１項に記載の医療用コネクタ。
【請求項８】
前記第１凸部は、基端側が前記プラグの軸と直交する面となっており、
前記突起は、先端側に前記プラグの軸と直交する面を有する、請求項２〜７のいずれか１項に記載の医療用コネクタ。
【請求項９】
前記突起は、先端側に前記プラグの軸と直交する面と、傾斜面とを有し、前記傾斜面は前記第２凸部と当接し、前記傾斜面の傾斜角度は前記第２凸部の基端側の斜面の傾斜角度と略一致している、請求項８に記載の医療用コネクタ。
【請求項１０】
前記可撓片は、前記ロックナットの内面において、前記ロックナットの基端から先端方向へ突出し、先端側において基端側よりも前記ロックナットの内壁との間隔が大きい、請求項２〜９のいずれか１項に記載の医療用コネクタ。
【請求項１１】
前記可撓片は、前記突起よりも先端側に、先端方向へ伸びるテーパー部を有し、前記テーパー部のテーパー面は前記プラグの外周面に対向している、請求項２〜１０のいずれか１項に記載の医療用コネクタ。
【請求項１２】
前記可撓片、前記第１凸部及び前記第２凸部は環状である、請求項２〜１１のいずれか１項に記載の医療用コネクタ。
【請求項１３】
前記凸部は、基端側が前記プラグの先端方向に向かって隆起する斜面となり、
突起は、先端側に前記凸部の斜面と対応する斜面を有し、
前記突起の斜面と、前記凸部の斜面とは互いに当接して摩擦係合する、請求項１に記載の医療用コネクタ。
【発明の詳細な説明】
【技術分野】
【０００１】
本開示は、医療用コネクタに関し、特にロックナットを有するロックコネクタに関する。
【背景技術】
【０００２】
シリンジ、カテーテル及びチューブ等の様々な医療機器がルアーコネクタにより接続される。ルアーコネクタは大きく、スリップコネクタとロックコネクタとに分けられる。スリップコネクタは、メスコネクタ内に挿入されたオスコネクタの外周面とメスコネクタの内周面との摩擦により係合している。ロックコネクタは、オスコネクタのプラグの周りに内面にねじが切られたロックナットが設けられており、メスコネクタの外周面にはロックナットのねじと係合するねじ山等が設けられている。オスコネクタのロックナットをメスコネクタのねじ山等と係合させて締めることにより、接続の信頼性を向上させることができる。
【０００３】
しかし、ロックナットは意図せず回転してしまうことがあり、その場合、コネクタ間のシールが不完全となり液漏れが発生したり、最悪の場合コネクタが外れたりするおそれがある。このため、ロックナットの意図しない回転によるコネクタ同士の離脱を防止することが検討されている（例えば、特許文献１を参照。）。具体的には、ロックナットの基端部に設けられた環状リブとプラグの表面に設けられた隆起部とからなる係合部が係合するようにし、ロックナットが締める前の状態に戻ることを防止している。
【先行技術文献】
【特許文献】
【０００４】
【特許文献１】米国特許６８４３５１３号明細書
【発明の概要】
【発明が解決しようとする課題】
【０００５】
しかしながら、従来のコネクタは、環状リブが設けられたロックナットの基端部が肉厚で変形しにくくなっているために、環状リブと隆起部とを係合させる際に圧の逃げ場がなく、隆起部の山がつぶれてしまうおそれがあり、接続の信頼性を十分に確保できない。
【０００６】
本開示の課題は、ロックナットを締める際に係合部へ加わる負担を低減し、信頼性が高い医療用コネクタを実現できるようにすることである。
【課題を解決するための手段】
【０００７】
医療用コネクタの一態様は、基端側から先端側に延びるプラグと、プラグの周りに回転可能で且つ軸方向に移動可能に取り付けられたロックナットとを備え、ロックナットは、その内面に突出した可撓片と、可撓片とロックナットの内壁との間に設けられ、可撓片が弾性変形することを許容する空間とを有し、可撓片は、内方向に突出した突起を有し、プラグは、その基部の外周面に設けられた凸部を含むプラグ側係合部を有し、可撓片は、突起が凸部に当接することにより、前記ロックナットの内壁側に変形し、ロックナットに設けられた可撓片と、プラグに設けられた凸部との少なくとも一方は、環状に設けられている。
【０００８】
医療用コネクタの一態様は、ロックナットの内面に突出した可撓片と可撓片とロックナットの内壁との間に設けられ、可撓片が弾性変形することを許容する空間を有し、可撓片は、突起が凸部と当接することにより、ロックナットの内壁側に変形する。このため、プラグ側係合部とに加わる力を逃がすことができ、プラグ側係合部へ加わる負担を抑えることが可能となる。また、ロックナットに設けられた可撓片と、プラグ側係合部の凸部との少なくとも一方が環状に設けられていることによって、突起と凸部とがどのような位置関係となっても、突起が凸部を通り抜けてしまわないようにできる。
【０００９】
医療用コネクタの一態様において、プラグ側係合部は、第１凸部と、第１凸部よりも基端側に設けられた第２凸部と、第１凸部と第２凸部との間に設けられた凹部とを含み、第２凸部の凹部の底面からの高さは、第１凸部の凹部の底面からの高さよりも低く、可撓片は、突起が基端側から先端側に向かって第２凸部を乗り越える際に、ロックナットの内壁側に変形し、突起が第２凸部を乗り越えた際に、可撓片はロックナットの内壁と反対側に変形するようにできる。
【００１０】
突起が第２凸部を乗り越える際に、可撓片は、ロックナットの内壁側に変形し、突起が第２凸部を乗り越えて凹部に達した際に、可撓片はロックナットの内壁と反対側に変形する構成とすることにより、突起が容易に第２凸部を乗り越えるようにできる。従って、突起が第２凸部を乗り越える際に第２凸部へ加わる負担を抑えることができる。また、ロックナットを締めた後において、ロックナットが意図せず回転した場合、メスコネクタが離脱してしまう前に第２凸部と突起とが当接し、ロックナットの動きを規制することができ、コネクタ同士が離脱しにくくできる。
【００１１】
医療コネクタの一態様において、第２凸部は、基端側が前記プラグの先端方向に向かって隆起する斜面となっていてもよい。このような構成とすることにより、このような構成とすることにより、ロックナットを締めた際に突起が第２凸部を乗り越え易くなり、ロックナットを締め終わった際のクリック感も大きくすることができる。
【００１２】
医療用コネクタの一態様において、第２凸部は、先端側及び基端側が斜面となっており、先端側の斜面の傾斜角度は、基端側の斜面の傾斜角度よりも大きくしてもよい。このような構成とすることにより、ロックナットを締める際及び緩める際に突起が第２凸部を乗り越え易くする共に、ロックナットを緩みにくくすることができる。
【００１３】
医療用コネクタの一態様において、突起の基端側の斜面の傾斜角度と、第２凸部の先端側の斜面の傾斜角度とは一致していてもよい。このようにすることにより、ロックナットを締めた際の嵌合力が向上すると共に、ロックナットを緩める際に、突起が第２凸部を基端側に乗り越え易くすることができる。
【００１４】
医療用コネクタの一態様において、突起が第１凸部と第２凸部との間に位置する際に、突起は、凹部の底面と当接しないようにすることができる。このような構成とすることにより、ロックナットが空転するため、ロックナットを容易に締めることができる。
【００１５】
医療用コネクタの一態様において、突起が第１凸部と第２凸部の間に位置する際に、第２凸部は可撓片と当接し、第１凸部と第２凸部の間で突起が挟持されるようにできる。このような構成とすることにより、ロックナットを締めた際の嵌合力が向上する。
【００１６】
医療用コネクタの一態様において、第１凸部は、基端側がプラグの軸と直交する面となっており、突起は、先端側にプラグの軸と直交する面を有していてもよい。このような構成とすることにより、突起が第１凸部を乗り越えにくくすることができる。また、突起は、先端側にプラグの軸と直交する面と、傾斜面とを有し、傾斜面は第２凸部と当接し、傾斜面の傾斜角度は第２凸部の基端側の斜面と傾斜角度と略一致していてもよい。このようにすれば、突起が第１凸部を乗り越えにくく且つ第２凸部を乗り越えやすくすることができる。
【００１７】
医療用コネクタの一態様において、可撓片は、ロックナットの内面において、ロックナットの基端から先端方向へ突出し、先端側において基端側よりもロックナットの内壁との間隔を大きくすることができる。このような構成とすることにより、突起が軸と交差する方向に変形する際の自由度を確保することができる。さらに、可撓片の基端側の間隔が大きいため、先端側よりも変形しにくくなっており、突起が第１凸部と当接した際に、ロックナットを先端側に引っ張った場合でも抜けにくくすることができる。
【００１８】
医療用コネクタの一態様において、可撓片は、突起よりも先端側に、先端側に向かって厚さが次第に薄くなるテーパー部を有し、テーパー部のテーパー面はプラグの外周面と対向するようにしてもよい。このような構成とすることにより、可撓片の変形の自由度を大きくすることができる。
【００１９】
医療用コネクタの一態様において、可撓片は環状とすることができる。このような構成とすることにより、可撓片が第１凸部と第２凸部の間に保持されやすくなり、ロックナットを緩みにくくすることができる。
【００２０】
医療用コネクタの一態様において、第１凸部及び第２凸部を環状とすることができる。このような構成にすることにより、ロックナットを先端方向に抜け落ちにくくすることができる。
【００２１】
医療用コネクタの一態様において、凸部は、基端側がプラグの先端方向に向かって隆起する斜面となり、突起は、先端側に凸部の斜面と対応する斜面を有し、突起の斜面と、凸部の斜面とは互いに当接して摩擦係合する構成としてもよい。このような構成とすることにより、面同士が摩擦係合するため、突起と凸部とが点接触している場合と比べてロックナットが緩みにくくすることができる。
【発明の効果】
【００２２】
本開示の医療用コネクタによれば、ロックナットを締める際に係合部へ加わる負担を低減でき、信頼性を向上させることができる。
【図面の簡単な説明】
【００２３】
【図１】第１の実施形態に係る医療用コネクタを示す断面図である。
【図２】図１のII部分を拡大して示す断面図である。
【図３】ロックナットを締めた状態を示す断面図である。
【図４】突起部の変形例を示す断面図である。
【図５】突起部の変形例を示す断面図である。
【図６】突起部の変形例を示す断面図である。
【図７】第２の実施形態に係る医療用コネクタを示す断面図である。
【図８】第２の実施形態の医療用コネクタにおいてロックナットを締めた状態を示す断面図である。
【発明を実施するための形態】
【００２４】
第１の実施形態に係る医療用コネクタは、図１〜図３に示すように、基端側から先端側に延びるプラグ１０１と、プラグ１０１の周りに回転可能で且つ軸方向に移動可能に取り付けられたロックナット１０２とを備えたオスルアーコネクタである。
【００２５】
ロックナット１０２は、その内面において突出した可撓片１２１と、可撓片１２１とロックナット１０２の内壁との間に設けられ、可撓片１２１が弾性変形することを許容する空間１２４とを有し、可撓片１２１は、内方向に突出した突起１２２を有する。プラグ１０１は、その基部の外周面に設けられた第１凸部１１１と、第１凸部１１１よりも基端側に設けられた第２凸部１１２と、第１凸部１１１と第２凸部１１２との間に設けられた凹部１１３とを含むプラグ側係合部１１４を有している。第２凸部１１２の凹部１１３の底面からの高さｈ２は、第１凸部１１１の凹部１１３の底面からの高さｈ１よりも低い。突起１２２は、第２凸部１１２と当接し、第２凸部１１２を乗り越えることが可能である。
【００２６】
本実施形態のコネクタは、プラグ１０１をロックナット１０２に対応する雄ねじを有するメスコネクタに挿入して接続することができる。具体的に、ロックナット１０２を基端側に移動させた状態で、メスコネクタ内にプラグ１０１を挿入し、ロックナット１０２を所定の方向に回転させることにより、ロックナット１０２の雌ねじと、メスコネクタの雄ねじとを噛み合わせて、ロックナット１０２を締めることができる。ロックナット１０２を締めることにより、ロックナット１０２は次第に先端（メスコネクタ）側に移動する。これにより、ロックナット１０２の突起１２２の内側面が、第２凸部１１２と当接し、可撓片１２１がロックナット１０２の内壁側（外方向）に弾性変形する。さらにロックナット１０２を締めると、突起１２２を介して可撓片１２１に加わる外方向の力が次第に大きくなり、可撓片１２１の外方向の変形が大きくなる。図３に示すように、突起１２２が第２凸部１１２を乗り越え、凹部１１３に達すると、可撓片１２１に加わる力が小さくなり、可撓片１２１はロックナット１０２の内壁と反対側（内方向）に変形する。これにより、突起１２２は凹部１１３と係合する。
【００２７】
なお、突起１２２が第２凸部１１２を乗り越えた後、可撓片１２１がロックナット１０２の内壁と反対側（内方向）に変形する際に、可撓片１２１の先端部が第１凸部１１１と当接、又は突起１２２が凹部１１３の底面と当接することにより、音を発するようにできる。これにより、ロックナットとプラグが締まったことを音により確認することが可能となる。
【００２８】
本実施形態のコネクタにおいて、突起１２２は、ロックナット１０２の内面において軸方向に突出し、軸方向と交差する方向に弾性変形可能な可撓片１２１に設けられている。また、可撓片１２１とロックナット１０２の内壁との間に、可撓片１２１が弾性変形することを許容する空間１２４が設けられている。このため、突起１２２が第２凸部１１２を乗り越える際に、可撓片１２１が外方向に容易に弾性変形でき、第２凸部１１２を突起１２２が乗り越える際に大きな力を加えなくてよい。
【００２９】
また、突起１２２が第２凸部１１２を乗り越えると、可撓片１２１が復元すると共に、突起１２２が第１凸部と当接するため、明確なクリック感が得られる。従って、ロックナット１０２の締め付けの終点が明確となり、ロックナット１０２の締め付け不足や、締め付けすぎを生じにくくすることができる。
【００３０】
第２凸部１１２は、突起１２２が乗り越えられる凸状部であれば特に限定されず、プラグの表面から略垂直に立ち上がるような形状であってもよいが、基端側の面がプラグの先端方向に向かって次第に隆起する斜面となっていることが好ましい。このような構成とすることにより、突起１２２が第２凸部１１２と当接してこれを乗り越える際に明確な手応えを感じることができる。
【００３１】
基端側の斜面の傾斜角度θ２は５°〜２０°の範囲であることが好ましく、９°〜１５°の範囲であることがより好ましい。プラグの先端方向に向かって次第に隆起する斜面の軸方向の長さｄ３は、１．０ｍｍ〜２．０ｍｍであることが好ましい。また、第２凸部１１２の基端部の斜面から先端側の斜面までの軸方向の長さｄ４は、０．３ｍｍ〜２．５ｍｍであることが好ましい。
【００３２】
また、先端側の面及び基端側の面を共に斜面とすることにより、ロックナット１０２を緩めるときに突起１２２が第２凸部１１２を乗り越え易くすることができる。ロックナット１０２を締めるときに突起１２２が乗り越え易く、且つロックナット１０２が緩みにくくするという観点から、先端側の斜面の傾斜角度θ１よりも基端側の斜面の傾斜角度θ２が小さいことが好ましい。
【００３３】
図２においては、第２凸部１１２の斜面が平面である構成を示しているが、曲面となっていてもよい。曲面とする場合、上に凸な曲面とすることも、下に凸な曲面とすることもできるが、下に凸な曲面とした方が突起１２２が乗り越えやすくなる。
【００３４】
第１凸部１１１は、凹部１１３の底面からの高さｈ１が、第２凸部１１２の凹部１１３の底面からの高さｈ２よりも大きい。このため、突起１２２が第１凸部１１１を乗り越え、ロックナット１０２がさらに先端側に移動することを防ぐことができる。第１凸部１１１の基端側（凹部側）の面をプラグの軸に対して垂直に近い面とすることにより、突起１２２が第１凸部１１１をさらに乗り越えにくくすることができる。また、突起１２２と第１環状凸部１１１とが面同士で当接するため、締め付けた際の嵌合力が向上する。
【００３５】
なお、高さｈ１は０．０５ｍｍ〜１．０ｍｍ、高さｈ２は０．０２ｍｍ〜０．２ｍｍであることが好ましい。高さｈ２を高くすることにより、突起１２２が第２凸部１１２を乗り越えにくくなるが、突起１２２が第２凸部１１２を乗り越える際の手応えを強くすることができる。
【００３６】
また、突起１２２は、ロックナット１０２の内部において基端から先端側に突出した円筒状の可撓片１２１に設けられている。可撓片１２１は基端の１箇所において支えられており、さらに可撓片１２１とロックナット１０２の内壁との間に空間１２４が設けられているため、プラグ１０１の軸と交差する方向（内外方向）に弾性変形し易い。従って、突起１２２は、変形の自由度が大きく第２凸部１１２を容易に乗り越えることができ、ロックナット１０２の本体部分に突起が設けられている場合と比べて、ロックナット１０２の締め付けが容易である。
【００３７】
突起１２２は、第２凸部１１２を乗り越えることができ、第１凸部１１１と当接可能であれば特に限定されないが、先端側の面をプラグの軸に対して垂直に近い面とすることにより、突起１２２が第１凸部１１１をさらに乗り越えにくくすることができる。
【００３８】
図４に示すように、突起１２２の先端側の面を、第１凸部１１１の基端側の面と当接可能なプラグの軸に対して垂直に近い面１２５と、第２凸部１１２と当接可能な傾斜面１２６とが組み合わされているようにすることができる。このようにすれば、突起１２２が、第２凸部１１２を乗り越え易く、第１凸部１１１を乗り越えにくくすることができる。なお、可撓片１２１の先端が第１凸部１１１の基端側の面と当接するように構成されていてもよい。
凸部１２２の先端側に設けられた傾斜面は、第２凸部１１２の基端側の傾斜面と当接するようにすることが好ましい。このため、凸部１２２の先端側に設けられた傾斜面１２６と、第２凸部１１２の基端側の傾斜面とは、傾斜角度がほぼ等しいことが好ましい。
【００３９】
突起１２２の基端側の面を傾斜面とし、その傾斜角度θ３を、第２凸部１１２の先端側の斜面の傾斜角度θ１とほぼ一致させることができる。これにより、ロックナット１０２とメスコネクタのねじ山等を係合させ締めた場合に、ロックナット１０２が基端方向へ動くことが規制され、ロックナット１０２とプラグ１０１の締め付けが緩むことを防止できる。
【００４０】
また、突起１２２の先端側の面と基端側の面との間に平面となった中間面が設けられており、中間面の長さｄ２が、凹部１１３の底面の長さｄ１以下となるようにすることができる。このような構成とすることにより、突起１２２の全体が凹部１１３とはまり込むようにできる。
【００４１】
突起１２２が第１凸部１１１と第２凸部１１２との間に位置し、凹部１１３はまり込んでいる際に、突起１２２は凹部１１３の底面と当接しないようにすることができる。突起１２２が凹部１１３の底面と当接せず、突起１２２と凹部１１３の底面との間に空間を設ければ、ロックナット１０２を先端側に移動させた状態で、ロックナット１０２を空回りさせることができる。このため、ロックナット１０２を締めることが容易となる。図２においては、突起１２２が凹部１１３の底面と全く当接していない例を示したが、突起１２２の一部が凹部１１３の底面と当接していてもよい。また、図５に示すように、突起１２２と凹部１１３の底面との間に空間が生じない構成とすることもできる。
【００４２】
突起１２２が第１凸部１１１と第２凸部１１２との間に位置し、凹部１１３はまり込んでいる際に、第２凸部１１２は可撓片１２１のどこか一部と当接するようにすることができる。このようにすれば、第２凸部１１２と可撓片１２１との間の摩擦力により、ロックナット１０２を締めた際の嵌合力をより大きくすることができる。可撓片１２１の第２凸部１１２と当接する部分は、突起１２２でも、可撓片１２１の突起１２２以外の部分でもよい。また、第２凸部１１２の可撓片１２１と当接する部分は特に限定されない。
【００４３】
例えば、図６に示すように、突起１２２の基端側の角部が第２凸部１１２の凹部１１３の側面となっている部分と当接するようにできる。また、第２凸部１１２に、先端側の面と、基端側の面との間に平面が設けられているようにし、突起１２２が凹部１１３にはまり込んでいる際に、可撓片１２１の内面と第２凸部１１２に設けられた平面とが当接するようにすることもできる。このようにすれば、可撓片１２１と第２凸部１１２とが面同士で当接するため、ロックナット１０２を締めた際の嵌合力をさらに大きくすることができる。
【００４４】
図２には、突起１２２が断面台形状であり、平面が組み合わされて形成されている例を示したが、曲面により形成されている構成としたり、平面と曲面とが組み合わされて形成されている形状としたりすることもできる。
【００４５】
可撓片１２１は、先端側において基端側よりも外径が小さくなっていることが好ましい。これにより、可撓片１２１の軸と交差する方向の変形の自由度が確保し易くなると共に、突起１２２を第２凸部１１２と当接し易くすることもできる。また、可撓片１２１は、突起１２２よりも先端側に、先端側に向かって厚さが次第に薄くなるテーパー部１２３を有し、テーパー部１２３のテーパー面がプラグ１０１の外周面と対向するようにしてもよい。これにより、突起１２２が第２凸部１１２をさらに乗り越え易くすることができる。
【００４６】
ロックナット１０２を回転させた際に、どの位置においても突起１２２と、第１凸部及び第２凸部１１２とが作用し合うようにするために、突起１２２が設けられている可撓片１２１と、第１凸部及び第２凸部１１２との少なくとも一方を環状に設ける。このような構成とすることによって、ロックナット１０２を締め付けることにより突起１２２が第２凸部１１２を乗り越えられると共に、第１凸部１１１と突起１２２とがどのような位置関係となっても、突起１２２が第１凸部１１１を通り抜けてしまわないようにできる。
【００４７】
可撓片１２１が、環状に設けられている場合、第１凸部１１１及び第２凸部１１２は、プラグ１０１の周上の１箇所に設けることも、周上の複数箇所に設けることも、周上の全体に亘って環状に設けることもできる。周上に第２凸部１１２が設けられている割合を変えることにより、凸部１２２が第２凸部１１２を乗り越える際に要する力を調整することができる。可撓片１２１を環状に設ける場合、可撓片１２１は、周方向に全体が繋がった円筒状とすることができるが、第１凸部及び第２凸部の周方向の最小幅よりも狭ければ、１つ又は複数のスリットを設けることもできる。スリットを設けることにより、突起１２２をより弾性変形し易くすることができる。
【００４８】
また、第１凸部１１１及び第２凸部１１２を環状に設ける場合、可撓片１２１は、環状に設けられた構成とすることも、周上の１箇所又は数カ所にそれぞれ設けられた構成とすることもできる。第１凸部１１１及び第２凸部１１２は、周上の全体に亘って切れ目のない環状に設けることができるが、可撓片１２１の周方向の最小幅よりも小さければ、第１凸部１１１及び第２凸部１１２にスリットが設けられていてもよい。
【００４９】
本実施形態のコネクタは、ロックナット１０２を基端側に移動させた状態で、プラグ１０１をメスコネクタに挿入し、メスコネクタの雄ねじに対してロックナット１０２を締めることにより突起１２２が第２凸部１１２を乗り越えるようにして使用することができる。また、プラグ１０１をメスコネクタに挿入し、メスコネクタの雄ねじに対してロックナットを締めた後、突起１２２が第２凸部１１２を乗り越えるように、ロックナット１０２を先端側に移動させることもできる。さらに、予めロックナット１０２を先端側に移動させて、突起１２２が凹部１１３と係合した状態とした後、プラグ１０１をメスコネクタに挿入し、ロックナット１０２を締めるような使い方をすることもできる。ロックナットを締めた後はコネクタ同士が離脱してしまう事態を防止可能である。
【００５０】
第１の実施形態のコネクタは、突起１２２が第２凸部１１２を乗り越えて、凹部１１３と係合する構成としたが、突起１２２が第２凸部１１２の上に乗り上げ、面同士が当接して摩擦係合する構成とすることもできる。面同士が当接して摩擦係合することにより、突起１２２と第２凸部１１２とが点接触する場合よりも、締め付けたロックナット１０２を緩みにくくすることができる。
【００５１】
図７は、第２の実施形態のコネクタを示している。プラグ１０１の表面には、プラグ側係合部１１４として、第１凸部１１１と、第１凸部１１１よりも基端側に設けられた第２凸部１１２が設けられており、第１凸部１１１の高さｈ１は、第２凸部１１２の高さｈ２よりも高く、第１凸部１１１と第２凸部１１２との間には、段差１１５が生じている。第２凸部１１２の基端側には、先端側に向かって隆起する斜面１１２ａが設けられている。可撓片１２１に設けられた突起１２２は、先端側が斜面１２２ａとなっており、斜面１２２ａは、第２凸部１１２の斜面１１２ａと当接して摩擦係合する。
【００５２】
ロックナット１０２を締めていくと、突起１２２は先端側へ移動し、突起１２２が第２凸部１２２と当接し、斜面１２２ａは斜面１１２ａの上に乗り上げる。斜面１２２ａと斜面１１２ａとは、傾斜角度が略一致しているため、面同士が当接し、この間に働く摩擦力は、突起１２２が先端側に移動するに従い、次第に大きくなる。斜面１２２ａと斜面１１２ａとが摩擦係合することにより、ロックナット１０２は強固に締め付けられ、容易に緩まないようにすることができる。
【００５３】
突起１２２が先端側に移動するに従い、突起１２２が第２凸部１２２を押さえる力が大きくなる。この力が大きくなりすぎると第２凸部１１２がつぶれてしまうおそれがある。また、ロックナットの締め付けに要する力が大きくなりすぎたり、再び緩めることが困難になったりする。本実施形態のコネクタにおいては、可撓片１２１とロックナット１０２の内壁との間に、可撓片１２１が弾性変形することを許容する空間１２４が設けられている。このため、突起１２２が第２凸部１２２押さえる力を逃がすことができ、適度な力で締め付けることが可能となる。
【００５４】
第２凸部１１２の斜面１１２ａの傾斜角度θ２は、５°〜２０°の範囲であることが好ましく、９°〜１５°の範囲であることがより好ましい。突起１２２の斜面１２２ａは、第２凸部１１２の斜面１１２ａと当接して摩擦係合するように、傾斜角度を調整する。突起１２２の斜面１２２ａの傾斜角度は、斜面１１２ａの傾斜角度と、可撓片１２１の弾性変形の度合いとを考慮して決定することができる。
【００５５】
斜面１１２ａの軸方向の長さｄ３は、１．０ｍｍ〜５．０ｍｍであることが好ましい。また、斜面１１２ａと斜面１２２ａとが摩擦係合した状態において、斜面１１２ａと斜面１２２ａとの当接部の軸方向の長さｄ５は、締め付けられたロックリング１０２を緩みにくくする観点から、０．５ｍｍ〜５．０ｍｍであることが好ましい。
【００５６】
本実施形態においては、第２凸部１１２よりも先端側に第１凸部１１１を設け、その間に段差１１５が生じるようにしている。第１凸部１１１を設けることにより、これにより、可撓片１２１の突起１２２が第２凸部１１２を乗り越えることを防ぎ、ロックナット１０２が先端側に抜け落ちないようにすることができる。
【００５７】
第１凸部１１１の高さｈ１は０．０５ｍｍ〜１．０ｍｍ、第２凸部１１２高さｈ２は０．０２ｍｍ〜０．５ｍｍとすることが好ましい。このようにすれば、適度な段差１１５を生じさせることができる。但し、第１凸部１１１は必要に応じて設ければよく、第１凸部１１１を設けなくてもよい。
【００５８】
本実施形態においては、第２凸部１１２の斜面１１２ａと第１凸部１１１との間に水平面が設けられている。但し、水平面は必要に応じて設ければよく、設けなくてもよい。
【００５９】
各実施形態のコネクタは、ポリエチレン、ポリプロピレン、ポリカーボネート、ポリ塩化ビニル及びＡＢＳ（アクリロニトリル−ブタジエン−スチレン共重合体）樹脂等の一般的な医療装機器用の樹脂材料により形成することができる。プラグ１０１とロックナット１０２とは同じ材料により形成することも、異なる材料により形成することもできる。
【００６０】
プラグ１０１は、通常のオスルアーの規格を満たすプラグとすることができるが、これに限らず、対象とするメスコネクタに挿入できるプラグであればよい。ロックナット１０２は、通常のルアーロックの規格を満たすねじ山が内部に設けられたロックナットとすることができるが、これに限らず、対象とするメスコネクタの係合部位と係合できるロックナットであればよい。
【００６１】
各実施形態のコネクタは、チューブ等の先端に取り付けるコネクタとしたり、三方活栓、ニードルレスコネクタ及びその他の医療機器の一部等としたりすることができる。
【産業上の利用可能性】
【００６２】
本開示の医療用コネクタは、ロックナットを締める際に係合部へ加わる負担を低減し、信頼性を向上させることができ、医療用コネクタ等として有用である。
【符号の説明】
【００６３】
１０１      プラグ
１０２      ロックナット
１１１      第１凸部
１１２      第２凸部
１１２ａ    斜面
１１３      凹部
１１４      プラグ側係合部
１２１      可撓片
１２２      突起
１２２ａ    斜面
１２３      テーパー部
１２４      空間
【図１】
2017148477.tif 000003
【図２】
2017148477.tif 000004
【図３】
2017148477.tif 000005
【図４】
2017148477.tif 000006
【図５】
2017148477.tif 000007
【図６】
2017148477.tif 000008
【図７】
2017148477.tif 000009
【図８】
2017148477.tif 000010